(57)【要約】【課題】支持具本体を相手方平滑面にぐらつきなく取り付けることが可能であり、しかも、きわめて大きな吊下げ荷重に耐え得るものでありながら、相手方平滑面に対する着脱操作性に優れ、相手方平滑面から取り外しても装着跡が相手方平滑面に残りにくい密着型支持具を提供する。【解決手段】相手方平滑面Ｂに裏面を重ね合わせることよってその平滑面Ｂに密着するシート体１に、支持具本体３を備えるベース体２の裏面が固着されている。シート体１がベース体２の裏面の全周囲に張り出す大きさを有する。【選択図】        図４
0003159056.tif 000002
【実用新案登録請求の範囲】
【請求項１】
相手方平滑面に裏面を重ね合わせることよってその平滑面に密着するシート体に、支持具本体を備えるベース体の裏面が固着され、上記シート体が上記ベース体の裏面の全周囲に張り出す大きさを有していることを特徴とする密着型支持具。
【請求項２】
上記シート体が柔軟な樹脂シートでなる請求項１に記載した密着型支持具。
【請求項３】
上記支持具本体が、板片状の上記ベース体の外周側面からその径方向外側に向けて延び出たＪ字形のフックである請求項１又は請求項２に記載した密着型支持具。
【考案の詳細な説明】
【技術分野】
【０００１】
本考案は密着型支持具、特に、吊下げ具などの支持本体を備えたベース体を、壁面やタイル面、ガラス面などの相手方平滑面にぐらつきなく取り付けることができ、しかも、上記ベース体を相手方平滑面から容易に取り外すことのできる対策を講じた密着型支持具に関する。
【背景技術】
【０００２】
従来、小物などを引掛けて吊り下げることなどのために利用される支持具として、ゴムや合成樹脂などで作られた先拡がり形状の吸盤に、Ｌ字形、Ｊ字形、Ｕ字形などに形成したフックやアームなどの支持具本体を取り付けたものが知られていた（たとえば、特許文献１、特許文献２参照）。
【先行技術文献】
【特許文献】
【０００３】
【特許文献１】特開２００５−１３５６８号公報
【特許文献２】特開２００６−３２０６８３号公報
【考案の概要】
【考案が解決しようとする課題】
【０００４】
しかしながら、上掲の各特許文献に記載されているものは、いずれも、柔軟性を有する吸盤の中心にフックやアームなどの支持具本体が連結されている。そのため、吸盤を相手方平滑面に押し付けて吸着させ、支持具本体に小物類を引掛けて吊り下げたようなときには、吸盤の中心と支持具本体との連結箇所に小物類などの重量が負荷されてその連結箇所がぐらついてしまい、そのぐらつきによって吸盤と相手方平滑面との間に空気が入り込んで、吸盤が、相手方平滑面から剥がれやすくなったり脱落したりしてしまうことが多々あり、それほど大きな吊下げ荷重に耐え得るものではなかった。
【０００５】
本考案は、以上の状況に鑑み、支持具本体を相手方平滑面にぐらつきなく取り付けることが可能であり、しかも、きわめて大きな吊下げ荷重に耐え得るものでありながら、相手方平滑面に対する着脱操作性に優れ、相手方平滑面から取り外しても装着跡が相手方平滑面に残りにくい密着型支持具を提供することを目的とする。
【課題を解決するための手段】
【０００６】
本考案に係る密着型支持具は、相手方平滑面に裏面を重ね合わせることよってその平滑面に密着するシート体に、支持具本体を備えるベース体の裏面が固着され、上記シート体が上記ベース体の裏面の全周囲に張り出す大きさを有している。
【０００７】
この構成を備えた密着型支持具では、シート体を相手方平滑面に重ね合わせて両者の間の空気を抜き出しておくだけで相手方平滑面にシート体が重なり合って密着する。このときの相手方平滑面に対するシート体の密着状態は、シート体の端縁部を相手方平滑面からめくり上げることによってきわめて容易に解放することのできる状態になっている。そのため、シート体の端縁部を相手方平滑面からめくり上げるだけで当該支持具を相手方平滑面からきわめて容易に取り外すことが可能である。
【０００８】
その反面で、上記密着状態は、シート体の端縁部を除く中間部分を相手方平滑面から引き上げるだけでは容易に解放されない状態になっている。また、シート体に固着されているベース体に、相手方平滑面から引き上げる方向の外力が加わったり、相手方平滑面に密着しているシート体の表面に平行ないし沿う方向の外力が加わったりした場合などにおいても、シート体が相手方平滑面から容易に剥がれることはない。このため、支持具本体に小物類などを引掛けて吊り下げた場合などには、支持具本体を備えるベース体が、シート体を介して相手方平滑面に強固に取り付けられた状態となり、小物類が重くてもベース体が相手方平滑面から脱落するという事態が起こりにくい。
【０００９】
また、支持具本体を備えるベース体の裏面がシート体に固着されていることにより、そのベース体の裏面が、シート体を介し、ベース体の裏面の広さに相当する面積をもって相手方平滑面に広い範囲で重なり合って相手方平滑面にぐらつきなく固定されることになる。したがって、この密着型支持具によると、支持具本体を相手方平滑面にぐらつきなく取り付けることが可能になる。
【００１０】
さらに、相手方平滑面に対する取付け状態では相手方平滑面にシート体が重なり合っているだけである。そのため、粘着剤を用いてベース体を相手方平滑面に貼り付けたり、ピンなどを相手方平滑面に突き刺してベース体を相手方平滑面に固定したりするもののように相手方平滑面を汚したり傷付けたりするというおそれがなく、しかも、シート体を剥がした跡にシート体の重なり痕跡が残ることもない。
【００１１】
本考案では、上記シート体が柔軟な樹脂シートでなることが望ましい。シート体が柔軟性を有していると、シート体を相手方平滑面の形状に馴染ませやすいだけでなく、相手方平滑面に重ね合わせたシート体を手の指で上から押さえたり、シート体を手の指で内側から外側へ向けて扱いたりするだけで、相手方平滑面との間に閉じ込められている空気を容易に外部へ押し出すことができるようになる。そのため、相手方平滑面が平坦面であるときは勿論、球面や湾曲した面であっても、シート体を相手方平滑面に密着させてベース体を相手方平滑面に強固に取り付けることに役立つ。
【００１２】
本考案では、上記支持具本体が、板片状の上記ベース体の外周側面からその径方向外側に向けて延び出たＪ字形のフックである、という構成を採用することが可能である。この構成であれば、支持具本体としてのフックに吊り下げた小物類の重量が、相手方平滑面に密着しているシート体の表面に平行な方向ないし沿う方向に加わるようになる。そのため、シート体が相手方平滑面から容易に剥がれることがなくなり、非常に大きな吊下げ荷重に耐え得ることになる。
【考案の効果】
【００１３】
以上のように、本考案の密着型支持具によれば、支持具本体を相手方平滑面にぐらつきなく取り付けることが可能になる。したがって、支持具本体が相手方支持面にぐらつきなく取り付けられることが要求されるような浴場の石けん置きであったり小物の置き台である場合にきわめて有益である。また、室内壁面やガラス面などの相手方平滑面に装着しておくと、小物類を吊り下げたりするのに便利に使用することが可能になる。その上、きわめて大きな吊下げ荷重に耐え得るので、吊り下げる小物類の重さの制約が少なくなる。さらに、相手方平滑面に対する着脱操作性に優れ、相手方平滑面から取り外した跡にシート体の重なり痕跡が残ることもないので、装着場所を変更したりするときの使い勝手にも優れる。
【図面の簡単な説明】
【００１４】
【図１】本考案に係る密着型支持具の正面図である。
【図２】同側面図である。
【図３】同背面図である。
【図４】使用状態の側面図である。
【図５】ベース体の裏面にシート体を固着するための工程を示す図である。
【考案を実施するための形態】
【００１５】
図１は本考案に係る密着型支持具Ａの正面図、図２は同側面図、図３は同背面図、図４は使用状態の側面図である。
【００１６】
図１〜図３に示した密着型支持具Ａは、シート体１と、このシート体１に固着された偏平な板片状のベース体２とを備えている。
【００１７】
シート体１には塩化ビニル樹脂やその他の樹脂シートが採用されていて、この実施形態では、シート体１が、それほど腰の強くない柔軟性を備えている。図例のシート体１は略方形ないし矩形に形作られているけれども、シート体１の形状は、円形であっても、菱形であっても、その他の形状であってもよい。このようなシート体１は、タイル面やガラス面などの相手方平滑面に裏面を重ね合わせるだけでその相手方平滑面から滑り落ちないように保持される特性を発揮する。しかも、相手方平滑面とシート体１との間に空気が閉じ込められていない状態では、シート体１の裏面の全体が相手方平滑面に密着する特性を発揮する。しかし、そのような密着状態は、シート体１の端縁部の所定箇所を始点として相手方平滑面からめくり上げることによってきわめて容易に解放される。その反面で、上記密着状態は、シート体１の端縁部を除く中間部分を相手方平滑面から引き上げるだけでは容易に解放されることはない。
【００１８】
ベース体２は塩化ビニル樹脂やＡＢＳ樹脂によって所定形状に形作られた成形品でなる。図例では、ベース体２が、表面がドーム状に膨らみ出た円形に形作られている。また、ベース体２の裏面２１は平滑面として形成されている。さらに、このベース体２には支持具本体３が備わっている。図例の支持具本体３は、ベース体２の外周側面２２からその径方向外側に向けて延び出たＪ字形のフックでなる。さらに詳しく説明すると、フックとしての支持具本体３は金属製であり、ベース体２の外周側面２２から径方向外側に向けて延び出たまっすぐな脚部３１とこの脚部３１の先端から折り返された突出片３２とを備えていて、全体としてＪ字形に形成されている。
【００１９】
図１〜図３のように、シート体１の表面の中央位置に、上記したフックとしての支持具本体３を備えるベース体２の平滑な裏面２１が固着されていて、シート体１がベース体２の裏面２１の全周囲に張り出す大きさを有している。ベース体２の裏面２１からのシート体１の張出し幅は適切に選定されるべきであるけれども、サイズの大きなシート体１を用いてその張出し幅を広くすると、シート体１を相手方平滑面に密着させた状態での相手方平滑面に対する結合力が増大することが判っている。
【００２０】
図４に上記のように構成された密着型支持具Ａの使用状態を示している。同図において、Ｂは当該支持具Ａが取り付けられる相手方平滑面を示していて、この相手方平滑面Ｂには、浴室のタイル面、窓ガラス面、家具のパネル面のような表面平滑な平坦面又は曲面が相当している。
【００２１】
密着型支持具Ａを相手方平滑面Ｂに取り付けるときには、密着型支持具Ａの支持具本体３を下側にして、シート体１の裏面を相手方平滑面Ｂに重ね合わせて密着させる操作を行うだけで済む。シート体１の裏面を相手方平滑面Ｂに重ね合わせるだけでシート体１と相手方平滑面Ｂの間に空気が閉じ込められていない状態が得られたときには、その状態でシート体１が相手方平滑面Ｂに密着して強固な取付け状態が得られる。しかしながら、シート体１の裏面を相手方平滑面Ｂに重ね合わせるだけでは、シート体１と相手方平滑面Ｂの間に空気が閉じ込められてしまうこともある。この場合には、相手方平滑面Ｂに重なり合っているシート体１を手の指で上から押さえたり、図４に矢印で示したようにシート体１を手の指で内側から外側へ向けて扱いたりして空気を外部へ押し出し、閉じ込められている空気残量をできるだけ少なくすればよく、そのようにするだけでシート体１が相手方平滑面Ｂに密着して強固な取付け状態が得られる。図４には平坦な相手方平滑面Ｂにシート体１を密着させた事例を示してあるけれども、この点は、相手方平滑面が球面や湾曲した面であっても同様である。
【００２２】
相手方平滑面Ｂに密着型支持具Ａが取り付けられた状態では、シート体１が相手方平滑面Ｂに密着している。このときの相手方平滑面に対するシート体１の密着状態は、シート体１の端縁部の任意箇所を相手方平滑面Ｂからめくり上げることによってきわめて容易に解放することができる。したがって、密着型支持具Ａを相手方平滑面Ｂから取り外すときには、シート体１の端縁部の任意箇所を相手方平滑面Ｂからめくり上げればよい。相手方平滑面Ｂに対する取付け状態では相手方平滑面Ｂにシート体１が重なり合っているだけである。そのため、上記のようにしてシート体１を相手方平滑面Ｂから剥がした跡にシート体１の重なり痕跡が残って相手方平滑面Ｂが汚れているという事態は起こらない。
【００２３】
相手方平滑面Ｂに密着型支持具Ａが取り付けられた状態において、シート体１と相手方平滑面Ｂとの密着状態は、シート体１の端縁部を除く中間部分を相手方平滑面Ｂから引き上げるだけでは容易に解放されない状態になっている。また、シート体１に固着されているベース体２に、相手方平滑面Ｂから引き上げる方向の外力が加わったり、相手方平滑面Ｂに密着しているシート体１の表面に平行ないし沿う方向の外力が加わったりした場合などにおいても、シート体１が相手方平滑面Ｂから容易に剥がれることはない。このため、支持具本体３に小物類などを引掛けて吊り下げた場合、小物類が重くてもベース体２が相手方平滑面Ｂから脱落するという事態が起こりにくい。調査の結果、１辺長さが８ｃｍ程度の塩化ビニル樹脂でなるシート体１をガラス面に密着させて当該支持具Ａをガラス面に取り付けた場合には、８ｋｇ程度の耐荷重の得られることが判っている。特に、この実施形態では、支持具本体３としてのフックに吊り下げた小物類の重量が、相手方平滑面Ｂに密着しているシート体１の表面に平行な方向ないし沿う方向に加わるために、シート体１が相手方平滑面Ｂから容易に剥がれることがなくなり、非常に大きな吊下げ荷重に耐え得ることが判っている。
【００２４】
また、この実施形態では、ベース体２の裏面２１が円形の平滑面として形成されているので、そのベース体２の裏面２１が、シート体１を介し、ベース体２の裏面２１の広さに相当する面積をもって相手方平滑面Ｂに広い範囲で重なり合って相手方平滑面Ｂにぐらつきなく固定されている。したがって、支持具本体３も相手方平滑面Ｂにぐらつきなく取り付けられている。
【００２５】
図５にはベース体２の裏面２１にシート体１を固着するための工程を説明的に例示してある。同図に例示した工程では次の操作が行われる。すなわち、ベース体２を、治具５に備わっている略環状の支持座５１の上に置くことによって、ベース体２の裏面２１を治具５の表面から少し突出させておく。その状態で紫外線硬化型接着剤（ＵＶ接着剤）をベース体２の裏面２１にむらなく塗布する。シート体１はガラス板などの板状体６にあらかじめ密着して貼り付けておいたものを、治具５に置かれている前記ベース体２の裏面２１の上に置き、板状体６ごとシート体２をベース体２の裏面２１に押し付け、紫外線を照射してＵＶ接着剤を硬化させる。
【００２６】
図１〜図３を参照して説明した実施形態では、柔軟なシート体１を備えた密着型支持具Ａを例示したけれども、シート体１が必ずしも柔軟性を有する必要はない。ただし、シート体１が柔軟性を有していると、相手方平滑面Ｂが円筒面などの曲面や湾曲面であっても、その曲面や湾曲面にシート体１が馴染んで密着させやすいという利点がある。その一方で、シート体１が柔軟性を有していない場合には、シート体１を平坦な相手方平滑面Ｂに重ね合わせるだけで、空気を閉じ込めずにシート体１を密着させやすくなるという利点がある。
【００２７】
また、上記の実施形態では、支持具本体３としてフックを採用した事例を説明したけれども、支持具本体は、石けん置きであったり小物の置き台であったりしてもよい。
【００２８】
さらに、ベース体２の表面に柄模様を施したり、シート体１に透明樹脂シートを用いたり、シート体１の表面に柄模様を施したりすることも可能である。特に、ベース体２の表面とシート体１の表面とに、互いに関連する柄模様、たとえばベース体２の表面に魚模様を施し、シート体１の表面に海中の藻や岩などを表す柄模様をほどこしておくと、当該支持具Ａ自体を室内装飾品として活用することができるようになる。
【符号の説明】
【００２９】
Ａ  密着型支持具
Ｂ  相手方平滑面
１  シート体
２  ベース体
３  支持具本体
２１  ベース体の裏面
【図１】
0003159056.tif 000003
【図２】
0003159056.tif 000004
【図３】
0003159056.tif 000005
【図４】
0003159056.tif 000006
【図５】
0003159056.tif 000007